(57)【要約】【課題】バスバーを、がたつきを発生させることなく、安価、適切かつ確実に取り付け、良好な導通状態を確保する。【解決手段】電池パックケース１と、電池パックケース１内に配置されるバスバー１５と、バスバー１５を電池パックケース１内の壁面に取り付ける取付部材２５とを備える。取付部材２５は、バスバー１５の導通領域から偏在させた領域に取り付ける。【選択図】図６
2013078215.tif 000002
【特許請求の範囲】
【請求項１】
電池パックケースと、
前記電池パックケース内に配置されるバスバーと、
前記バスバーを前記電池パックケース内の壁面に取り付ける取付部材と、
を備え、
前記取付部材は、前記バスバーの導通領域から偏在させた領域に取り付けたことを特徴とする電池パック。
【請求項２】
前記電池パックケースは、内部に底壁面と側壁面とを備え、
前記バスバーは、前記電池パックケースの底壁面に載置される載置部と、前記電池パックケースの側壁面に沿って起立する起立部とを備え、
前記取付部材は、前記バスバーの起立部の起立方向と直交する方向に延び、前記電池パックケースの側壁面に取り付けられる軸部を有することを特徴とする請求項１に記載の電池パック。
【請求項３】
前記取付部材は、前記電池パックケースの側壁面に軸部を係合されるクリップであることを特徴とする請求項２に記載の電池パック。
【発明の詳細な説明】
【技術分野】
【０００１】
本発明は、電池パックに関するものである。
【背景技術】
【０００２】
従来、電池パックに採用可能なジャンクションボックスとして、２つのバスバーをボルト及びナットによって締結固定するようにしたものがある（例えば、特許文献１参照）。
【０００３】
また、他の電池パックに採用可能なジャンクションボックスとして、リレーブロックに形成したバスバー収容部に縦型バスバーを挿入し、縦型バスバーに形成した係止孔にバスバー収容部の内側面から突出する可撓片の係止凸部を係止するようにしたものがある（例えば、特許文献２参照）。
【先行技術文献】
【特許文献】
【０００４】
【特許文献１】特開２００７−２８８９６号公報
【特許文献２】特開２００２−１８６１４５号公報
【発明の概要】
【発明が解決しようとする課題】
【０００５】
しかしながら、前記特許文献に記載の発明では、導通部分に貫通孔が形成される関係上、電気抵抗が増大し、導通状態に悪影響を与えるという問題がある。
【０００６】
さらに、前記特許文献１に記載の発明では、バスバーを導通部分のボルト及びナットによって固定しただけであるので、これらが緩めば、バスバーにがたつきが発生するという問題がある。
【０００７】
また、前記特許文献２に記載の発明では、縦型バスバーであるため、リレーブロックに対して下面側から挿入し、その一部が底壁に当接した時点で、係止孔に可撓片の係止凸部を係止させる必要がある。このため、各部品の加工精度が要求され、コストアップを招来する。また、係止孔に係止凸部を係止しただけであるので、衝撃等で係止状態が解除されてしまう恐れがある。
【０００８】
本発明は、バスバーを、がたつきを発生させることなく、安価、適切かつ確実に取り付け、良好な導通状態を確保することができる電池パックを提供することを課題とする。
【課題を解決するための手段】
【０００９】
本発明は、前記課題を解決するための手段として、
電池パックを、
電池パックケースと、
前記電池パックケース内に配置されるバスバーと、
前記バスバーを前記電池パックケース内の壁面に取り付ける取付部材と、
を備え、
前記取付部材は、前記バスバーの導通領域から偏在させた領域に取り付けた構成としたものである。
【００１０】
なお、取付部材は、バスバーを電池パックケースに固定するものであってもよいし、バスバーの一部に当接するだけのものであってもよい。
【００１１】
前記構成により、導通領域とは直接関係しない偏在領域でバスバーを取り付けることができ、バスバーでの導通に悪影響を与えることなく適切な支持状態を得ることが可能となる。
【００１２】
前記電池パックケースは、内部に底壁面と側壁面とを備え、
前記バスバーは、前記電池パックケースの底壁面に載置される載置部と、前記電池パックケースの側壁面に沿って起立する起立部とを備え、
前記取付部材は、前記バスバーの起立部の起立方向と直交する方向に延び、前記電池パックケースの側壁面に取り付けられる軸部を有するのが好ましい。
【００１３】
この構成により、電池パックケースに取り付けたバスバーは、起立部を起立方向とは直交する方向に延びる取付部材の軸部によって支持される。したがって、電池パックケースに対する取付部材の位置がずれたとしても、それは軸方向であって、バスバーの起立部を支持する状態には何等影響を与えることがない。つまり、バスバーの浮き上がりを確実に防止することができる。
【００１４】
前記取付部材は、前記電池パックケースの側壁面に軸部を係合されるクリップであるのが好ましい。
【００１５】
この構成により、クリップの軸部をボックス本体の側壁に係合させるだけで簡単にバスバーの浮き上がりを防止することができる。
【００１６】
前記取付部材は、前記ボックス本体の側壁から突出し、前記バスバーの起立部の縁に当接可能な舌片であるのが好ましい。
【００１７】
この構成により、別部材を必要とすることなくバスバーの浮き上がりを防止することができ、作業性に優れている。
【発明の効果】
【００１８】
本発明によれば、電池パックケースへのバスバーの取付を、バスバーの導通領域とは直接関係しない偏在領域に取り付けた取付部材によって行うようにしたので、バスバーでの導通に悪影響を与えることなく適切な支持状態を得ることができる。
【図面の簡単な説明】
【００１９】
【図１】本実施形態に係る電池パックの斜視図である。
【図２】図１から電池パックカバーを除去した状態を示す斜視図である。
【図３】図２から電池モジュール、ジャンクションボックス等の内部構成部品を取り外した状態を示す斜視図である。
【図４】図２の電池モジュールの斜視図である。
【図５】図２のジャンクションボックスのバスバー装着前の状態を示す部分斜視図である。
【図６】図５のジャンクションボックスへのバスバー装着途中の状態を示す部分斜視図である。
【図７】図５のジャンクションボックスへのバスバー装着完了後の状態を示す部分斜視図である。
【発明を実施するための形態】
【００２０】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物或いはその用途を制限することを意図するものではない。
【００２１】
図１及び図２は、本実施形態に係る電池パックを示す。この電池パックは、電池パックケース１に、複数の電池モジュール２とジャンクションボックス３（Junction Box）とを収容し、電池パックカバー４で閉鎖したものである。
【００２２】
電池パックケース１は、図３に示すように、上面が開口する略箱体形状で、内部空間が所定間隔で配置した２枚の仕切壁５ａ、５ｂと仕切部６とで、第１電池収容部７と、第２電池収容部８ａ、８ｂとに分離され、両仕切壁５ａ、５ｂの間は、ジャンクションボックス３が配置されるジャンクションボックス収容部（ＪＢ収容部９）となっている。
【００２３】
電池モジュール２は、図４に示すように、電池ケース１０内に複数の電池セル１１を所定間隔で収容し、電池カバー１２で覆ったもので、電池セル１１は直列に電気接続されている。各電池セル１１は、リチウムイオン電池等の非水電解質二次電池であり、図示しないが、例えば、電池容器内に発電要素を収容し、蓋体で封止した構成となっている。
【００２４】
ジャンクションボックス３は、ボックス本体１３内に、図示しない制御装置やセンサ、バスバー１５等を収容したもので、バスバー１５にはワイヤハーネス（図示せず）が接続されている。制御装置では、バスバー１５を介して電池セル１１からの電力を電池パックが搭載される車両側へと供給し、ワイヤハーネス（図示せず）を介して電池セル１１の電力残量を検出し、車両側の制御装置と通信することにより管理する。
【００２５】
ジャンクションボックス３には、図５に示すように、一端側底面の凹凸形状に沿って長手方向に延びる４列の溝部１４がそれぞれ形成され、各溝部１４には、図６に示すように、４つのバスバー１５（第１バスバー１５ａ、第２バスバー１５ｂ、第３バスバー１５ｃ及び第４バスバー１５ｄ）がそれぞれ配置されている。
【００２６】
ジャンクションボックス３の一側壁の内側近傍には、図６及び図７に示すように、所定間隔で起立壁１６が形成されている。起立壁１６の内側近傍の底面には、各バスバー１５ａ，１５ｂ，１５ｃ，１５ｄが配置される部分に開口部１７がそれぞれ形成されている。各開口部１７の下方側には、ワイヤハーネス（図示せず）の一端部に取り付けた丸型圧着端子１９がそれぞれ配置されるようになっている。
【００２７】
各バスバー１５ａ，１５ｂ，１５ｃ，１５ｄは、ジャンクションボックス３の底面に沿って配置される載置部２０と、この載置部２０の一端側から前記起立壁１６に沿って起立する、本発明の偏在させた領域に相当する起立部２１とを備える。
【００２８】
載置部２０には筒部２２が形成され、前記丸型圧着端子１９の中心孔に挿通されるボルト２３が挿通し、ナット２４が螺合されることにより、バスバー１５ａ，１５ｂ，１５ｃ，１５ｄと図示しないワイヤハーネスとが丸型圧着端子１９を介して電気接続されている。第２バスバー１５ｂと第３バスバー１５ｃでは、２箇所に筒部２２が形成され、それぞれ丸型圧着端子１９を介してワイヤハーネスと電気接続されている。
【００２９】
起立部２１には貫通孔２１ａが形成され、この貫通孔２１ａに挿通される、取付部材の一例である樹脂クリップ２５によって前記起立壁１６に対して上下方向に位置決めされている。樹脂クリップ２５は、軸部２５ａの一端側に鍔部２５ｂを備え、鍔部２５ｂの中心に樹脂ピン２５ｃを圧入することにより貫通孔２１ａ内で軸部２５ａを拡径させて固定できるようにしたものである。そして、樹脂クリップ２５は、バスバー１５ａ，１５ｂ，１５ｃ，１５ｄを、ジャンクションボックス３から浮き上がろうとする方向に対して直交する方向に延びる軸部２５ａで支持する。したがって、樹脂クリップ２５はバスバー１５ａ，１５ｂ，１５ｃ，１５ｄの浮き上がりによって脱落しにくく、取付状態を良好なものとする。
【００３０】
第２バスバー１５ｂと第３バスバー１５ｃでは、２箇所に筒部２２がそれぞれ形成され、図示しないワイヤハーネス等に電気接続されている。第２バスバー１５ｂでは、載置部２０の両端側にそれぞれ形成した筒部２２で接続され、第３バスバー１５ｃでは、起立部２１側と、側方への延設部分とにそれぞれ形成した筒部２２で接続されている。
【００３１】
このように、前記各バスバー１５ａ，１５ｂ，１５ｃ，１５ｄでは、導通領域（例えば、第２バスバー１５ｂや第３バスバー１５ｃでは、２箇所の筒部２２の間）から偏在させた領域である起立部２１に、取付部材の一例である樹脂クリップ２５を取り付けるようにしている。したがって、導通領域とは直接関係しない起立部２１で、各バスバー１５ａ，１５ｂ，１５ｃ，１５ｄを起立壁１６に取り付けることができ、バスバー１５ａ，１５ｂ，１５ｃ，１５ｄでの導通に悪影響を与えることなく適切な支持状態を得ることが可能となる。
【００３２】
電池パックカバー４は、電池パックケース１の上方開口部を覆う板状体で、対角位置に吸気部２７と排気部２８がそれぞれ形成されている。
【００３３】
次に、前記構成の電池パックの組立方法について説明する。ここでは、本発明の特徴部分である、ジャンクションボックス３でのバスバー１５ａ，１５ｂ，１５ｃ，１５ｄの組立方法についてのみ言及する。
【００３４】
ジャンクションボックス３では、各バスバー１５ａ，１５ｂ，１５ｃ，１５ｄの載置部２０を底面に形成した溝部１４にそれぞれ載置する。このとき、各バスバー１５ａ，１５ｂ，１５ｃ，１５ｄの起立部２１を起立壁１６に沿わせるように配置する。これにより、各バスバー１５ａ，１５ｂ，１５ｃ，１５ｄが位置決めされる。
【００３５】
また、各バスバー１５ａ，１５ｂ，１５ｃ，１５ｄは、起立部２１に形成した貫通孔２１ａを介してジャンクションボックス３の起立壁１６に形成した貫通孔１６ａに樹脂クリップ２５の軸部２５ａを挿入し、樹脂ピン２５ｃを圧入することにより樹脂クリップ２５を位置決めする。これにより、各バスバー１５ａ，１５ｂ，１５ｃ，１５ｄは、上方への浮き上がりを、樹脂クリップ２５の軸部２５ａによって阻止される。この場合、バスバー１５の浮き上がり方向と、樹脂クリップ２５の脱落方向とが直交している。このため、バスバー１５が浮き上がろうとしても、その方向は樹脂クリップ２５の脱落方向とは合致せず、樹脂クリップ２５によるバスバー１５の位置決めを良好な状態に維持することができる。
【００３６】
その後、ボルト２３及びナット２４により、各バスバー１５ａ，１５ｂ，１５ｃ，１５ｄの筒部２２にワイヤハーネス（図示せず）に一体化した丸型圧着端子１９を連結する。
【００３７】
なお、本発明は、前記実施形態に記載された構成に限定されるものではなく、種々の変更が可能である。
【００３８】
例えば、前記実施形態では、バスバー１５を樹脂クリップ２５で固定するようにしたが、ネジ止め等の他の手段によって固定するようにしてもよい。要は、バスバー１５の浮き上がり方向に対して直交する方向に軸部２５ａを備えた構成の取付部材であればよい。
【００３９】
また、取付部材は、必ずしもジャンクションボックス３とは別体とする必要がなく、例えば、起立壁１６から突出する突起等で構成することも可能である。この場合、突起等は、必ずしもバスバー１５の貫通孔２１ａに挿通させる必要がなく、例えば、バスバー１５の起立部２１の上端に当接可能としてもよい。
【００４０】
また、取付部材により、ジャンクションボックス３に収容したボックス本体１３内のバスバー１５の浮き上がりを防止するようにしたが、電池パックケース１内の他の位置に設けたバスバーであっても同様に浮き上がりを防止することが可能である。例えば、電池セル１１同士を接続するバスバーや、電池モジュール２同士を接続するバスバーであっても、前記構成の取付部材を採用することができる。
【符号の説明】
【００４１】
１…電池パックケース
２…電池モジュール
３…ジャンクションボックス
４…電池パックカバー
５ａ，５ｂ…仕切壁
６…仕切部
７…第１電池収容部
８…第２電池収容部
９…ＪＢ収容部
１０…電池ケース
１１…電池セル
１２…電池カバー
１３…ボックス本体
１４…溝部
１５…バスバー
１５ａ…第１バスバー
１５ｂ…第２バスバー
１５ｃ…第３バスバー
１５ｄ…第４バスバー
１６…起立壁
１７…開口部
１８…ワイヤハーネス
１９…丸型圧着端子
２０…載置部
２１…起立部
２１ａ…貫通孔
２２…筒部
２３…ボルト
２４…ナット
２５…樹脂クリップ
２５ａ…軸部
２７…吸気部
２８…排気部
【図１】
2013078215.tif 000003
【図２】
2013078215.tif 000004
【図３】
2013078215.tif 000005
【図４】
2013078215.tif 000006
【図５】
2013078215.tif 000007
【図６】
2013078215.tif 000008
【図７】
2013078215.tif 000009